【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
加熱又は冷却された食品を入れた食品用容器を収容してテイクアウトするためのテイクアウト容器（２，３）であって、
食品用容器を載置するための底板と前記底板の周縁から下方に延びる立ち上がり部分とを具備する本体容器（２）と、
前記本体容器（２）に固定されるべく前記立ち上がり部分の全周又はその一部と嵌合可能である突起部分（４）を上面に形成された底蓋（３）と、を有し、
前記本体容器（２）に前記底蓋（３）を固定したとき、前記本体容器（２）の前記底板の下面と前記底蓋（３）の上面との間に空気の層（５）が形成されることを特徴とする
テイクアウト容器。
【請求項２】
加熱又は冷却された食品を入れるための食品用容器（１）をさらに有し、前記食品用容器（１）は前記本体容器（２）の前記底板に載置され、前記食品用容器（１）及び前記本体容器（２）は平面視にて多角形又は円形の形状であり、前記食品用容器（１）と前記本体容器（２）の形状の組合せは、多角形と円形、円形と多角形、円形と円形、又は、多角形と多角形のいずれかであることを特徴とする
請求項１に記載のテイクアウト容器。
【請求項３】
前記食品用容器（１）を前記本体容器（２）の前記底板に載置したとき、前記食品用容器（１）と前記本体容器（２）の側壁との間にスペース（７）が形成されることを特徴とする
請求項２に記載のテイクアウト容器。
【手続補正２】
【補正対象書類名】明細書
【補正対象項目名】全文
【補正方法】変更
【補正の内容】
【発明の詳細な説明】
【発明の名称】テイクアウト容器
【技術分野】
【０００１】
本発明は、客に出来たての熱々のグラタンや冷たいサラダやデザート等をそのまま提供して、テイクアウトしてもらうことを可能とするテイクアウト容器に関する。
【背景技術】
【０００２】
従来では熱々のグラタンのテイクアウトは不可能であり、予め調理して冷ましておいたグラタンをテイクアウトする店しかなかった。
【発明の概要】
【発明が解決しようとする課題】
【０００３】
冬の寒い時期、熱々のグラタンを自宅や会社のデスク等で食べようと思っても、熱々の出来たてのグラタンを提供する店はなかった。本発明は、そのような需要に答えるテイクアウト容器を提供することを目的とし、新しいビジネスモデルを構築するものである。
【課題を解決するための手段】
【０００４】
図１を参照する。テイクアウト容器は、従来より使用されている耐熱ペーパーで作られた容器（１）と容器（２）を組み合わせて、なお且つ、その組み合わせた一方の大きな容器（２）の底に透明のポリプロピレンの底蓋（３）を取り付ける。グラタンを入れる容器（１）は図１の四角いもので、丸い容器（２）の中に収まる大きさのものとする。通常は丸い紙容器（２）の底の直径が約１５ｃｍ位のものを使用する。そうすると、四角い紙容器（１）の底の一辺は約９．５ｃｍくらいである。図２を参照すると、丸い紙容器（２）の底板の下面側に底蓋（３）をはめ込んでおいて、熱々の出来たてのグラタンを四角い容器（２）の中に入れ、図にはないが透明のポリプロピレンの上蓋をしてポリ袋等に入れ提供する。この場合、ポリ袋もテイクアウト容器が丁度入る位の大きさのものが必要である。
【発明の効果】
【０００５】
本発明のテイクアウト容器においては、丸い紙製容器（２）と底蓋（３）の間に約５mmほどの空気の層が出来るので、客がポリ袋からすぐ取り出して食べても、手に持ってグラタンの熱さを感じることなく、安心して食べることが出来る。このことにより、自宅やオフィスだけでなく、テーブル等がない倉庫とか車内、公園のベンチなどでも手に持ったり、膝に載せたりしながら食べても全然熱くはなく、スムーズに食することができる。また、手に持って食べるときの手助けになるもう一つの理由が、紙製容器（１）と紙製容器（２）の底が重なっていない部分が空きスペース（７）になっているということである。この部分を手に持てば、グラタン類に触れることがない。
【０００６】
また、容器（１）、（２）とも紙製であるがポリエチレンテレフタラート（PET）加工してあるものを使用するので、すぐに食べることができなくて少し冷めてしまっても、電子レンジで温め直すことができるので便利である。
【０００７】
これらの二つの紙製容器の組み合わせは、最初にグラタンを入れて温める容器（１）が丸いものでその後に入れる容器（２）が四角い底蓋（３）付きのものでも、最初のもの（１）が５角形でその後に入れるもの（２）が丸い底蓋（３）付きのものでも同じような効果は得られて、組み合わせとしてはいろいろ考えられる。
【０００８】
なお本発明は、熱々のグラタンをあまり食べない夏期にはこのスペース（７）にドライアイス等の保冷剤を入れて、容器（１）にグラタン類の代わりに冷たいポテトサラダや野菜サラダ、あるいは冷たいシャーベット、アイスクリームとフルーツの盛り合わせ等のパフェ類と、いろいろな冷たい食べ物やデザート類をいれて提供することができる。この場合でも提供するときは、図にはないが透明のポリプロピレン製上蓋をかぶせて、ポリ袋等に入れて提供する。
【０００９】
グラタン類でも冷たい食べ物でも、買ってから15分以内に食べるようなことを想定しているので、熱々のグラタンやドリア、冷たいデザートやポテトサラダ等、自宅や会社のデスク、公園のベンチなどで気軽に食べることができる。
【図面の簡単な説明】
【００１０】
【図１】本発明のテイクアウト容器の斜視図である。
【図２】図１のテイクアウト容器のＡ側面方向からの断面図である。
【発明を実施するための形態】
【００１１】
以下、本発明の実施形態について、図面を参照しつつ詳細に説明する。図１は、本発明の実施例をあらわすもっとも一般的な耐熱紙製容器の組み合わせによるテイクアウト容器の斜視図を示す。四角い紙製容器（１）をそれが丁度入る大きさの丸い紙製容器（２）の中に入れ、丸い紙製容器（２）の底板の下面側には透明なポリプロピレン（PP）製の底蓋（３）をはめ込んだものである。
【００１２】
紙製容器（１）、（２）は、市販されているものを使用するが、透明なPP製の底蓋（３）は、新たに製作する。丸い紙製容器（２）の底板は平らなテーブル等に置く場合、底板の周縁から下方に延びる数mmの立ち上がり部分があるため、直接は触れることはない。さらに、丸い紙製容器（２）の底板の下面側の立ち上がり部分の内側に沿って底蓋（３）がはまる。そのために、図２の底蓋（３）の突起部分（４）のように底蓋（３）をくぼませる加工をする。これはその円周すべてを加工してもよいが、４、５ヶ所だけで留まる場合はそれでもよい。そうすることで、底蓋（３）と丸い紙製容器（２）の底板との間に約５mmほどの幅の空気の層（５）ができるので、四角い紙製容器（１）に入った熱々のグラタン類の底に伝わる熱さを感じることなく、手に持つことができる。
また、紙製容器（１）の熱々のグラタン類を、紙製容器（２）の中に入れるときに、丸い紙製容器（２）の真ん中の辺りに両面テープ（６）を付けておいて、グラタン類が動かないように安定させたほうがよい。
【００１３】
グラタン類をあまり食べない暖かい時期には、スペース（７）にドライアイス等の保冷剤を入れて、グラタンの代わりに、四角い紙製容器（１）に冷たいサラダやデザート等を入れて、丸い紙製容器（２）に底蓋（３）も同じように付けて、簡易的冷蔵のテイクアウト容器として活用できる。この場合グラタン類の熱々のときと同じような理由で、ドライアイス等の冷たさを手に感じることなく、手に持って冷たいデザート等を食べることができる。
【符号の説明】
【００１４】
１  四角い耐熱（ポリエチレンテレフタラート：PET）加工された紙製容器
２  丸い耐熱（ポリエチレンテレフタラート：PET）加工された紙製容器
３  透明のポリプロピレンの底蓋
４  底蓋（３）のくぼみ
５  容器（２）の底板と底蓋（３）との間の空気の層
６  両面テープ
７  容器（１）と容器（２）が重ならない空きスペース